(57)【特許請求の範囲】
【請求項１】
所定の領域を照明する第一配光部と、
前記所定の領域の周囲を照明する第二配光部とを備え、
前記第一配光部は、
光の相関色温度が５４００Ｋ以上７０００Ｋ以下、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有する第一発光素子を備え、
前記第二配光部は、前記第一発光素子が発する光の相関色温度よりも低い相関色温度となる分光放射特性を有する第二発光素子を備え、
前記第一配光部は、前記第一発光素子と前記第二発光素子とを複数有し、
前記第一配光部の、複数の前記第一発光素子と、複数の前記第二発光素子とは、二重の輪をなすように配列されており、
前記二重の輪のうち、内周側の輪は、複数の前記第一発光素子のみで形成されている
照明装置。
【請求項２】
前記第一配光部の出力を前記第二配光部の出力に連動して制御する制御部を備える
請求項１に記載の照明装置。
【請求項３】
前記第一配光部が発する光の５７０ｎｍ以上７８０ｎｍ以下の範囲内の少なくとも一部の波長の光強度を低減する
請求項１または２に記載の照明装置。
【請求項４】
前記第一配光部の相関色温度は、前記第二配光部の相関色温度よりも高い
請求項１〜３のいずれか一項に記載の照明装置。
【請求項５】
前記第一配光部の照度は、前記第二配光部の照度よりも高い
請求項１〜３のいずれか一項に記載の照明装置。
【発明の詳細な説明】
【技術分野】
【０００１】
本発明は、照明装置に関し、特に加齢に伴う視機能変化を補正するための照明装置に関する。
【背景技術】
【０００２】
高齢化社会の到来により高齢者にとって快適な環境の構築が強く求められている。その中でも照明による視環境の整備は急務である。このため、加齢による人間の視覚系の変化をどのように照明で補正するかを明確にする必要がある。加齢による主な視機能変化としては、（ａ）水晶体の透過率の低下、特に短波長域での透過率の低下と、（ｂ）白内障（水晶体の白濁化）による視界のかすみ（眼球内散乱）などがある。
【０００３】
（ａ）に関しては、特許文献１に記載されるように、水晶体透過率が低下する波長域の光を増強、いわゆる高色温度にすることにより、網膜上に青色光の到達率を高める照明が高齢者用として推奨されている。
【０００４】
また、（ｂ）も考慮するべく、特許文献２に記載されるように、青色光の成分を増強させる方式もある。特許文献２では、主に眩しさ感への影響が強い波長域（４７０ｎｍ以上、５３０ｎｍ以下）を低減することにより、眩しさを抑えてコントラスト感度、明度及び彩度を高く感じる効果を付加した照明が推奨されている。
【０００５】
同様に、（ｂ）を考慮するべく、特許文献３に記載されるように、周辺光による眼球内散乱を低下させるために、可変色ウォールの調整をする方式もある。
【先行技術文献】
【特許文献】
【０００６】
【特許文献１】特開２００３−２３７４６４号公報
【特許文献２】特開平４−１３７３０５号公報
【特許文献３】特開２００５−３０２５００号公報
【発明の概要】
【発明が解決しようとする課題】
【０００７】
しかし、高齢者にとって、視作業をするために必要な明るさは若年齢者の２〜５倍と言われるほど高い。このため、高齢者に対して、眩しさを感じさせることなく高照度の光を与え、かつ色の鮮やかさを高く感じさせることができる照明装置が望まれている。
【０００８】
このため、本発明の目的は、高齢者が眩しさを感じることを抑えつつ、高齢者に対して文字や観察対象物の色の彩度が低下して見えるのを抑制することのできる照明装置を提供することである。
【課題を解決するための手段】
【０００９】
本発明の一態様に係る照明装置は、所定の領域を照明する第一配光部と、所定の領域の周囲を照明する第二配光部とを備え、第一配光部は、光の相関色温度が５４００Ｋ以上７０００Ｋ以下、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有する第一発光素子を備え、第二配光部は、第一発光素子が発する光の相関色温度よりも低い相関色温度となる分光放射特性を有する第二発光素子を備える。
【発明の効果】
【００１０】
本発明によれば、高齢者が眩しさを感じることを抑えつつ、高齢者に対して文字や観察対象物の色の彩度が低下して見えるのを抑制することができる。
【図面の簡単な説明】
【００１１】
【図１】実施の形態に係る照明装置の概略構成を示す側面図である。
【図２】実施の形態に係る照明装置の内部構造を示す断面図である。
【図３】実施の形態に係る照明装置に備わる第一発光素子と第二発光素子との配置レイアウトを示す模式図である。
【図４】実施の形態に係る導光部の一部を示す断面図である。
【図５】実施の形態に係る照明装置の主制御構成を示すブロック図である。
【図６】検証実験における５０歳以上の被験者の評価結果を示すグラフである。
【図７】検証実験における５０歳未満の被験者の評価結果を示すグラフである。
【図８】検証実験における閾値となる基準照度比を算出した結果を示すグラフである。
【図９】実施の形態に係る照明装置を部屋の中央に設置した場合の相関色温度分布を示すグラフである。
【図１０】変形例に係る照明装置の内部構造を示す断面図である。
【図１１】変形例に係る照明装置に備わる第一発光素子と第二発光素子との配置レイアウトを示す模式図である。
【図１２】変形例に係る導光部の一部を示す断面図である。
【発明を実施するための形態】
【００１２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１３】
［全体構成］
以下、実施の形態に係る照明装置について説明する。
【００１４】
図１は、実施の形態に係る照明装置の概略構成を示す側面図である。図２は、実施の形態に係る照明装置の内部構造を示す断面図である。図３は、実施の形態に係る照明装置に備わる第一発光素子と第二発光素子との配置レイアウトを示す模式図である。
【００１５】
図１〜図３に示すように、照明装置１０は、器具本体２０と、第一配光部４１と、第二配光部４２とを備えている。照明装置１０は、例えば建物の天井１に設けられている引っ掛けシーリングボディに対して着脱自在に取り付けられる。
【００１６】
器具本体２０は、第一配光部４１と、第二配光部４２とを保持するための筐体である。器具本体２０は、中央部に円形状の開口部２１を有するリング状に形成されている。この開口部２１を介して引っ掛けシーリングボディが第一配光部４１と、第二配光部４２とに電気的に接続される。
【００１７】
なお、器具本体２０は、例えばアルミニウム板又は鋼板等の板金をプレス加工することによって上述した形状に成形される。器具本体２０の一方側の面である内面（床面側の面）には、反射性を高めて光取り出し効率を向上させるために、白色塗料が塗布、又は、反射性金属材料が蒸着されている。
【００１８】
第一配光部４１は、例えば白色光を発するための第一の発光部であり、照明装置１０の直下の領域（所定の領域）を照明する。第一配光部４１は、リング状の基板４１１と、基板４１１の実装面（床側の面）に実装された複数の第一発光素子４１２及び第二発光素子４２２と、複数の第一発光素子４１２が発した光を拡散させるカバー４１３とを備えている。
【００１９】
基板４１１は、複数の第一発光素子４１２及び複数の第二発光素子４２２を実装するためのプリント配線基板である。基板４１１には、複数の第一発光素子４１２及び複数の第二発光素子４２２を実装するための、配線パターン（図示省略）が形成されている。配線パターンは、第一発光素子４１２及び第二発光素子４２２と、回路部（定電力出力回路１１及び制御回路１２など：図５参照）とを電気的に接続することにより、回路部からの直流電流を第一発光素子４１２及び第二発光素子４２２の各々に供給するための配線パターンである。
【００２０】
複数の第一発光素子４１２及び第二発光素子４２２は、基板４１１に対して二重のリング状となるように配列されている。複数の第一発光素子４１２及び第二発光素子４２２の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。
【００２１】
カバー４１３は、器具本体２０を覆うための外カバーであり、器具本体２０に着脱自在に取り付けられている。カバー４１３は、透光性を有する樹脂材料、例えばアクリル（ＰＭＭＡ）、ポリカーボネート（ＰＣ）、ポリエチレンテレフタレート（ＰＥＴ）又はポリ塩化ビニル（ＰＶＣ）等で形成されている。これにより、第一配光部４１に備わる複数の第一発光素子４１２及び第二発光素子４２２からカバー４１３の内面に向けて出射した光は、カバー４１３を透過してカバー４１３の外部に取り出される。なお、カバー４１３を例えば乳白色の樹脂材料で形成することにより、カバー４１３に光拡散性を持たせてもよい。第一配光部４１に備わる複数の第一発光素子４１２及び第二発光素子４２２から発せられた光は、カバー４１３を透過することにより、照明装置１０の直下の領域（タスク領域）を照明する。図１では、第一配光部４１の配光パターンを破線で示している。
【００２２】
第二配光部４２は、例えば白色光を発するための第二の発光部であり、第一配光部４２が照明する領域の周囲を照明する。第二配光部４２は、リング状の基板４２１と、基板４２１の実装面（床側の面）に実装された複数の第一発光素子４１２及び複数の第二発光素子４２２と、複数の第一発光素子４１２及び複数の第二発光素子４２２が発した光の配光を制御する導光部４２３とを備えている。
【００２３】
基板４２１は、主面が基板４１１と平行であり、かつ基板４１１の外周を囲むように配置されている。基板４２１は、第二配光部４２に備わる複数の第一発光素子４１２及び複数の第二発光素子４２２を実装するためのプリント配線基板である。基板４２１には、複数の第一発光素子４１２及び複数の第二発光素子４２２を実装するための、配線パターン（図示省略）が形成されている。配線パターンは、複数の第一発光素子４１２及び複数の第二発光素子４２２と、回路部（定電力出力回路１１及び制御回路１２など：図５参照）とを電気的に接続することにより、回路部からの直流電流を第一発光素子４１２及び第二発光素子４２２の各々に供給するための配線パターンである。
【００２４】
次に、第一発光素子４１２と第二発光素子４２２とについて詳細に説明する。
【００２５】
第一発光素子４１２は、光の相関色温度が５４００Ｋから７０００Ｋ、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有している。ここで、クロマ値は視対象物の白さ感を定量的に評価できる指標であり、クロマ値が高いと色みが強く、低いと色みが弱いことを意味する。すなわちクロマ値が低いということは白さ感が高いということになる。そして、クロマ値２．７以下で相関色温度５４００Ｋ以上７０００Ｋ以下、色偏差Ｄｕｖが−６以上５以下の範囲を実現するスペクトルを有する光の下では、紙面の印刷文字の読みやすさが高められることが分かっている（例えば特開２０１４−７５１８６号公報等）。さらに、平均演色評価数Ｒａは、忠実な色の再現性を評価する指標であり、ＪＩＳ  Ｚ９１１２「蛍光ランプの光源色及び演色性による区分」においてその指標の目安が示されている。具体的には、平均演色評価数Ｒａは８０以上であることがよい。第一発光素子４１２及び第二発光素子４２２からの合成光が上記の分光放射特性を有していれば、紙面の印刷文字の読みやすさを高めつつも、忠実に色を再現することが可能である。
【００２６】
第二発光素子４２２は、第一発光素子４１２が発する光の相関色温度よりも低い相関色温度となる分光放射特性を有している。
【００２７】
そして、図３に示すように、第一配光部４１においては、第一発光素子４１２及び第二発光素子４２２が基板４１１上に二重の輪をなすように配列されている。ここで、内周側の輪は、１６個の第一発光素子４１２によって形成されている。外周側の輪は、８個の第一発光素子４１２と、１６個の第二発光素子４２２とによって形成されている。具体的には、第一発光素子４１２が１個、第二発光素子４２２が２個という並びが繰り返されることで、外周側の輪が形成されている。
【００２８】
また、第一配光部４１の全体では、第一発光素子４１２と第二発光素子４２２との総設置個数（４０個）における第一発光素子４１２の設置個数（２４個）の割合は、０．６である。
【００２９】
第二配光部４２においては、第一発光素子４１２及び第二発光素子４２２が基板４２１上に一重の輪をなすように配列されている。一重の輪は、１６個の第一発光素子４１２と、１６個の第二発光素子４２２とによって形成されている。具体的には、第一発光素子４１２と、第二発光素子４２２とが交互に並んで配置されることで、一重の輪が形成されている。第二配光部４２では、第一発光素子４１２と第二発光素子４２２との総設置個数（３２個）における第一発光素子４１２の設置個数（１６個）の割合は、０．５である。
【００３０】
このように、第一配光部４１は、第一発光素子４１２と第二発光素子４２２との総設置個数における第一発光素子４１２の設置個数の割合が第二配光部４２よりも大きい。これにより、第一配光部４１の光色が、第二配光部４２の光色よりも高くなる。
【００３１】
また、第一発光素子４１２と第二発光素子４２２との設置個数の総数が、第一配光部４１の方が第二配光部４２よりも大きいので、第一配光部４１の照度が第二配光部４２の照度よりも高くなる。
【００３２】
次に、導光部４２３について説明する。
【００３３】
図４は、実施の形態に係る導光部４２３の一部を示す断面図である。具体的には、図４は、図２におけるＰ領域を拡大して示す断面図である。
【００３４】
導光部４２３は、導光部材６０と、反射板６１とを備える。
【００３５】
導光部材６０は、アクリル樹脂やエポキシ樹脂などの透光性部材により形成された全体としてリング状の板体であり、その底面６０１（下面）が外方に向かうに連れて上方へと傾くテーパ面となっている。また、導光部材６０の上面６０２における内周縁には、上方に向けて突出した突起６０３が形成されており、この突起６０３の上面と、第二配光部４２の第一発光素子４１２及び第二発光素子４２２とが対向している。これにより、第二配光部４２の第一発光素子４１２と第二発光素子４２２とが発した光は、突起６０３の上面から導光部材６０内に入射する。つまり、突起６０３の上面が入射面である。
【００３６】
また、導光部材６０の底面６０１と内周面とがなす角部６０４には、全周に亘って面取りが施されている。この角部６０４に対して反射板６１が取り付けられている。
【００３７】
反射板６１は、導光部材６０を透過した光を当該導光部材６０の外周縁に向けて反射する例えば鏡などの反射部材である。
【００３８】
そして、導光部材６０を通過する光が底面６０１側の界面へ入射する入射角をγ、導光部材６０の臨界角をθとしたとき、導光部材６０の上面６０２と底面６０１とがなす角（傾き角）αを不等式（α＜（θ＋γ）／２）を満足する値に設定する。これにより、反射板６１で反射された光のうち、底面６０１側の界面で全反射される光の最大射出角が９０°未満となり、導光部材６０から射出される光の仰角を小さくすることができる。したがって、図４の矢印Ｙ１のような配光が可能となる。このことから、第二配光部４２は、第一配光部４１が照明する領域（タスク領域）の周囲（アンビエント領域）を照明することができる。なお、図１では、第二配光部４２の配光パターンを一点鎖線で示している。
【００３９】
図５は、実施の形態に係る照明装置１０の主制御構成を示すブロック図である。
【００４０】
図５に示すように、照明装置１０は、定電力出力回路１１と、制御回路１２とを備えている。
【００４１】
定電力出力回路１１は、第一発光素子４１２と第二発光素子４２２とに対して定電力を付与するための回路である。
【００４２】
制御回路１２は、定電力出力回路１１を制御することで、複数の第一発光素子４１２と複数の第二発光素子４２２との出力を個別に制御する制御部である。制御回路１２は、例えば、図示しない点灯スイッチがＯＮされたことにより、点灯用の外部信号が入力されると、定電力出力回路１１を制御して、複数の第一発光素子４１２と複数の第二発光素子４２２との点灯を制御する回路である。
【００４３】
複数の第一発光素子４１２は、複数組に組分けされており、各組の第一発光素子４１２が定電力出力回路１１に並列に電気的に接続されている。そして、各組においては、複数の第一発光素子４１２が直列に電気的に接続されている。
【００４４】
同様に、複数の第二発光素子４２２は、複数組に組分けされており、各組の第二発光素子４２２が定電力出力回路１１に並列に電気的に接続されている。そして、各組においては、複数の第二発光素子４２２が直列に電気的に接続されている。
【００４５】
これにより、制御回路１２は、定電力出力回路１１を制御することによって、第一配光部４１の出力を、第二配光部４２の出力に連動して制御することができる。
【００４６】
［検証実験］
次に、照度と、光色による読みやすさ感との関係について実験により検証した。
【００４７】
実験は、主観評価実験とし、紙面に印刷された文字の照度と光色（相関色温度）による読みやすさ感を評価してもらった。照度レベルは３００以上１０００以下[ｌｘ]とし、色温度はＪＩＳＺ９１１２「蛍光ランプの光源色及び演色性による区分」に記載されている白色光の色度範囲を考慮して、２７００以上７０００以下[Ｋ]とした。
【００４８】
視対象物を平均的な無地のコピー用紙とし、小田氏読書チャート（ＭＮＲＥＤ−Ｊ）から引用した、新聞紙の活字サイズである７［ｐｔ］の３０文字を紙面の中心に印刷し、視距離４００［ｍｍ］とした。照明光にはキセノンランプに液晶フィルタを組み合わせ、液晶フィルタを制御することにより様々なスペクトル光の放射が可能な装置を用いた。照明光の光色は２７００、５０００、６０００、７０００［Ｋ］の４水準、紙面中心照度は３００、５００、６００、７５０、１０００［ｌｘ］の５水準とし、被験者は２３〜６９歳の男女３０名とした。
【００４９】
実験の手順として、光色はランダムに４水準を提示し、選択した光色で照度のみを可変とし上昇系列で５水準提示した。まず、被験者は、３分間の提示照明光下、無地の紙面での順応後、１０秒間のタスク（３０文字が印刷されている紙面を黙読）をしてから、主観評価をした。次いで被験者は、１分間順応後、１０秒間のタスク、主観評価を計５回繰り返した。次に光色を変え同様の手順を計４回繰り返した。
【００５０】
主観評価の評価手法は７段階評価とし、印刷文字の「読みやすさ感」を『非常に読みやすい』、『かなり読みやすい』、『やや読みやすい』、『どちらでもない』、『やや読みにくい』、『かなり読みにくい』、『非常に読みにくい』から被験者に選択させた。
【００５１】
図６は検証実験における５０歳以上の被験者の評価結果を示すグラフであり、図７は検証実験における５０歳未満の被験者の評価結果を示すグラフである。
【００５２】
図６及び図７の横軸は照度、縦軸は読みやすさ感の評価値であり、被験者３０名の平均値をプロットしている。なお、読みやすさ感の評価値としては、『非常に読みやすい』、『かなり読みやすい』、『やや読みやすい』、『どちらでもない』、『やや読みにくい』、『かなり読みにくい』、『非常に読みにくい』を３、２、１、０、−１、−２、−３とし算術平均で求めた。図６及び図７から明らかなように、５０歳以上と５０歳未満のいずれにおいても、照度が上昇するほど読みやすさ感も上昇しているが、光色によりその増加率は異なる。特に、５０歳以上では高色温度７０００Ｋでの読みやすさ感が他の色温度に比較して高くなっている。このことから、５０歳以上の高齢者に対しては、高色温度による文字見え改善が示された。つまりタスク照度においては、アンビエント照度よりも光色を高めることがよい。
【００５３】
また、高齢者の色の見えを評価するため、『鮮やかさ感』評価実験を実施した。
【００５４】
実験は、照明条件を３種（基準光：５０００Ｋ（汎用）、ＴＥＳＴ１：６２００Ｋ（汎用）、ＴＥＳＴ２：６２００Ｋ（高演色））、基準光照度を３水準（５００、７５０、１０００［ｌｘ］）、被験者を４５〜６５歳（中年期）の男女６名、２５〜４４歳（壮年期）の男女４名の計１０名とした。基準光、ＴＥＳＴ１、２のダウンライト１２０φを評価ＢＯＸ（寸法：Ｗ３００×Ｄ３００×Ｈ５００［ｍｍ］／内装：Ｎ７）に設置し、基準光用の評価ＢＯＸを右、ＴＥＳＴ用の評価ＢＯＸを左に配置し一対比較を実施した。視対象はＪＩＳ試験色（Ｒ９赤、Ｒ１０黄、Ｒ１１緑、Ｒ１２青）、Ｎ５（明度５／グレー）の色紙の中央に一辺７５［ｍｍ］の窓を設けＪＩＳ試験色を窓に配置した。この時、視距離４００［ｍｍ］で試験色の視角寸法を１０．７度となるようにした。
【００５５】
評価手法として極限法を用い、基準光の照度を固定、ＴＥＳＴ１またはＴＥＳＴ２の照度を可変とし、一対比較で色票が『鮮やか』に見える評価ＢＯＸ（基準光用の評価ＢＯＸとＴＥＳＴ用の評価ＢＯＸの一方）を選択させた（２件法）。実験は上昇系列、下降系列の各系列３回繰り返した。
【００５６】
実験手順として、被験者は３分間、基準光用の評価ＢＯＸ内の試験色を配置していないＮ５の色紙で順応する。その後、基準光用の評価ＢＯＸとＴＥＳＴ用の評価ＢＯＸに試験色を配置し、基準光照度は固定で、ＴＥＳＴ１またはＴＥＳＴ２の照度を調整する。具体的には、基準光の照度が５００［ｌｘ］のときは、ＴＥＳＴ１またはＴＥＳＴ２の照度を１５０以上５２０［ｌｘ］とする。また、基準光の照度が７５０［ｌｘ］のときは、ＴＥＳＴ１またはＴＥＳＴ２の照度を２５０以上８００［ｌｘ］とする。また、基準光の照度が１０００［ｌｘ］のときは、ＴＥＳＴ１またはＴＥＳＴ２の照度を４００以上１０６０［ｌｘ］とする。そして、一対比較で色票が『鮮やか』に見える評価ＢＯＸ（基準光用の評価ＢＯＸとＴＥＳＴ用の評価ＢＯＸの一方）を選択させ、始めと異なる評価ＢＯＸが選択された場合に一系列の評価を終了とする。具体的に、上昇系列時にはＴＥＳＴ用の評価ＢＯＸが選択された時点で評価を終了し、加工系列時には基準光用の評価ＢＯＸが選択された時点で終了とする。
【００５７】
そして、上昇系列と下降系列を交互に６回実施した後、試験色を入れ替えて同様の実験を４回繰り返した。
【００５８】
その後、ＴＥＳＴ用の評価ＢＯＸのＴＥＳＴ１またはＴＥＳＴ２を入れ替えてＮ５の色紙に１分間順応した後に試験色を配置し上昇系列と下降系列を交互に６回実施した後、試験色を入れ替えて同様の実験を４回繰り返した。
【００５９】
基準光が一定（３水準／５００、７５０、１０００［ｌｘ］）照度でＴＥＳＴ１またはＴＥＳＴ２が可変照度の両評価ＢＯＸ内の色票を比較し、選択した評価ＢＯＸが転換するテスト光の照度値の６回平均値（上昇系列３回、下降系列３回）を閾値とする。
【００６０】
図８は、検証実験における閾値となる基準照度比を算出した結果を示すグラフである。なお、基準照度比＝基準光照度（５００、７５０、１０００［ｌｘ］）／テスト光照度（閾値）である。また、ＴＥＳＴ２はＴＥＳＴ１の５７０以上７８０ｎｍ以下の範囲内の少なくとも一部の波長の光強度を低減したものである。
【００６１】
図８に示すように、基準光５０００Ｋに対して、高色温度のＴＥＳＴ１またはＴＥＳＴ２ともに色の見え『鮮やかさ感』の向上効果が認められ、特に中年期で効果的であることが分かった。
【００６２】
また、ＴＥＳＴ２は各色（色票）の基準光照度比がほぼ等しく、５０００Ｋに対して、色味バランスが良くなる。これは好ましさに大きく寄与する。
【００６３】
ここで、一般的に、中高齢者は、若年齢者よりもグレアを感じやすく、さらに高色温度になるほどグレアが感じやすい。
【００６４】
以上のことから、加齢による文字見え、色見えには高色温度にすることが有効であるが、高色温度にすることにより眼球内散乱が増加して、眩しさを感じやすくなることが分かる。このため、照明装置１０の直下のタスク領域（視認性が必要な領域）を高照度、高色温度、高演色にして、周辺（アンビエント領域）を低色温度にすることが、高齢者の視認性を高めることに有効であることが分かる。
【００６５】
これらのことにより、タスク領域を主に照明する第一配光部４１が発する光の相関色温度を、アンビエント領域を主に照明する第二配光部４２が発する光の相関色温度よりも高くすることで、高齢者の視認性を向上させることができる。
【００６６】
図９は、実施の形態に係る照明装置を部屋の中央に設置した場合の相関色温度分布を示すグラフである。ここでは、床上約４００[ｍｍ]に到達する光の相関色温度分布を示している。１２畳（約２０ｍ２）の広さを想定した略正方形状の部屋では、当該部屋の中央から壁際まで概ね２．２３ｍである。図９における横軸では、中央から壁際までを距離比で示しているため、「１」及び「−１」が中央からの距離２．２３ｍとなる。
【００６７】
第一配光部４１が発する光の色温度と、第二配光部４２が発する光の色温度とがいずれも高色温度である場合、一般のシーリングライトと同じように、どの場所でもほぼ同等の色温度となる。この場合の相関色温度分布は図９の破線Ｌ１である。
【００６８】
また、例えば、特開２０１５−０２２９４４号公報に開示されたタスク・アンビエント照明のように、タスク照度を高色温度、アンビエント照度を低色温度とした場合、タスク照明の光源位置が低いため、その照射範囲は狭くなる。この場合の相関色温度分布は、図９の一点鎖線Ｌ２である。このため、光色による違和感を持ちやすく、色温度の差は２０００Ｋ好ましくは１７００Ｋ以下にしなくてはならない。
【００６９】
一方、実施の形態に係る照明装置１０であると、第一配光部４１及び第二配光部４２は、いずれも第一発光素子４１２及び第二発光素子４２２の位置が天井付近であるために、第一配光部４１の照射範囲は広くなり、実線Ｌ３で示したような相関色温度分布となる。相関色温度分布の変化率も緩やかである。
【００７０】
ここで、人間の相関色温度に対する感度は低色温度ほど高い。また、同じ相関色温度差でも低色温度領域の方が相関色温度（光色）の違いを見分けることができる。このことから、低色温度近傍では緩やかな相関色温度変化が違和感低減につながる。このように、第一配光部４１の光色を高くして、第二配光部４２の光色を第一配光部４１よりも低くすることにより、違和感を与えることなく高齢者の視認性を向上させることができる。
【００７１】
以上のように、本実施の形態によれば、照明装置１０は、第一配光部４１と、第一配光部４１が照明する領域の周囲を照明する第二配光部４２とを備える。第一配光部４１は、光の相関色温度が５４００Ｋ以上７０００Ｋ以下、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有する第一発光素子４１２を備える。第二配光部４２は、第一発光素子４１２が発する光の相関色温度よりも低い相関色温度となる分光放射特性を有する第二発光素子４２２を備える。
【００７２】
これによれば、第一発光素子４１２を備える第一配光部４１によって、照明装置１０の直下のタスク領域を高色温度にして、第二発光素子４２２を備える第二配光部４２によって、周辺（アンビエント領域）を低色温度にすることができる。したがって、高齢者が眩しさを感じることを抑えつつ、高齢者に対して文字や観察対象物の色の彩度が低下して見えるのを抑制することができる。
【００７３】
また、上述したような分光放射特性を第一発光素子４１２が有しているので、タスク領域における紙面の印刷文字の読みやすさを高めつつも、忠実に色を再現することが可能である。
【００７４】
また、照明装置１０は、第一配光部４１の出力を第二配光部４２の出力に連動し制御する制御回路１２を備える。
【００７５】
このように、制御回路１２が第一配光部４１の出力を第二配光部４２の出力に連動して制御するので、アンビエント照度に応じてタスク照度を連動させることができ、個人差にも対応できる高齢者のための光環境を実現できる。
【００７６】
また、第一配光部４１が発する光の５７０ｎｍ以上７８０ｎｍ以下の範囲内の少なくとも一部の波長の光強度を低減するようにしてもよい。具体的には、第一配光部４１の導光部材６０を、５７０ｎｍ以上７８０ｎｍ以下の範囲内の少なくとも一部の波長の光強度を吸収する光吸収材を混合して形成すればよい。これにより、第一配光部４１が発した光の色味バランスを高めることができる。
【００７７】
また、第一配光部４１の相関色温度は、第二配光部４２の相関色温度よりも高い。
【００７８】
このように、第一配光部４１の相関色温度が第二配光部４２の相関色温度よりも高いので、タスク領域を高色温度、アンビエント領域を低色温度で確実に照明することができる。
【００７９】
また、第一配光部４１の照度は、第二配光部４２の照度よりも高い。
【００８０】
このように、第一配光部４１の照度が第二配光部４２の照度よりも高いので、タスク領域をアンビエント領域よりも明るく照明することができ、作業性を高めることができる。
【００８１】
（その他の実施の形態）
以上、実施の形態に係る照明装置について説明したが、本発明は、上記実施の形態に限定されるものではない。なお、以下の説明において、上記実施の形態と同一の部分には同一の符号を付してその説明を省略する場合がある。
【００８２】
例えば、上記実施の形態では、第一配光部４１及び第二配光部４２は、それぞれ第一発光素子４１２及び第二発光素子４２２を備えている場合を例示した。しかし、第一配光部４１が複数の第一発光素子４１２のみを備え、第二配光部４２が複数の第二発光素子４２２のみを備える形態であってもよい。
【００８３】
また、上記実施の形態では、第二配光部４２に備わる基板４２１が第一配光部４１の基板４１１に対して平行となるように配置されている場合を例示して説明した。しかし、第一配光部４１の基板４１１と第二配光部４２の基板４２１とは、基板４２１が基板４１１の周囲に配置されていれば、その配置関係は如何様でもよい。
【００８４】
図１０は、変形例に係る照明装置の内部構造を示す断面図である。図１１は、変形例に係る照明装置に備わる第一発光素子と第二発光素子との配置レイアウトを示す模式図である。
【００８５】
図１０及び図１１に示すように、第二配光部４２の基板４２１ａは、第一配光部４１の基板４１１の周囲を囲むように、器具本体２０に対して立設して配置されている。第二配光部４２の基板４２１ａは、第一配光部４１の基板４１１の主面に対して直交する方向に沿って立設している。そして、図１１に示すように、基板４１１を平面視した場合、第二配光部４２の基板４２１ａは、略六角形状に配置されている。基板４２１ａの外方を向く主面が実装面であり、当該主面に対して、第一発光素子４１２と、第二発光素子４２２とが周方向に沿って配列されている。六角形をなす各辺では、２つの第一発光素子４１２と、３つの第二発光素子４２２とが交互に配列されている。これにより、第二配光部４２における第一発光素子４１２と第二発光素子４２２との光出射方向は、概ね水平方向となる。
【００８６】
図１２は、変形例に係る導光部の一部を示す断面図である。具体的には、図１２は図４に対応する図である。
【００８７】
図１２に示すように、導光部６０ａは、アクリル樹脂やエポキシ樹脂などの透光性部材により形成された導光部材である。導光部６０ａは、全体としてリング状の板体であり、その底面６０１ａ（下面）が外方に向かうに連れて上方へと傾くテーパ面となっている。この導光部６０ａの内周面６０３ａに、第二配光部４２ａの第一発光素子４１２と、第二発光素子４２２とが対向している。これにより、第二配光部４２ａの第一発光素子４１２及び第二発光素子４２２が発した光は、内周面６０３ａから導光部６０ａ内に入射する。
【００８８】
この場合においても、導光部材６０の上面６０２ａと底面６０１ａとがなす角αは、上述の不等式を満足する値に設定する。これにより、底面６０１ａ側の界面で全反射される光の最大射出角が９０°未満となり、導光部６０ａから射出される光の仰角を小さくすることができる。したがって、図１２の矢印Ｙ２に示すような配光が可能となる。このことから、第二配光部４２ａは、第一配光部４１が照明する領域（タスク領域）の周囲（アンビエント領域）を照明することができる。
【００８９】
なお、上記実施の形態及び変形例に記載された構成を任意に組み合わせて構築される形態も、本発明の範囲内に含まれる。
【符号の説明】
【００９０】
１０  照明装置
１２  制御回路（制御部）
２０  器具本体
４１  第一配光部
４２、４２ａ  第二配光部
４１２  第一発光素子
４２２  第二発光素子
【図１】
0006655832.tif 000002
【図２】
0006655832.tif 000003
【図３】
0006655832.tif 000004
【図４】
0006655832.tif 000005
【図５】
0006655832.tif 000006
【図６】
0006655832.tif 000007
【図７】
0006655832.tif 000008
【図８】
0006655832.tif 000009
【図９】
0006655832.tif 000010
【図１０】
0006655832.tif 000011
【図１１】
0006655832.tif 000012
【図１２】
0006655832.tif 000013